(57)【要約】      （修正有）【課題】地球温暖化ＣＯ２削減対策の原子力発電所を提供する。【解決手段】核反応を起こりやすくさせる黒エンに追加された液化された石炭による炉２、の中に送り込まれた二酸化炭素の気体は、核反応による熱によって高温高圧になり、ダクトを通って熱交換器の中の蒸発器にはイオン水製造装置１１によりイオン水が送りこまれていて高温ガスによって蒸気になる。えんとつ側ダクトにより使用済みＣＯ２ガスを地中又は海底に埋め込む技術により使用イオン水のラジカルと液化された石炭からのＣＯ２ガスの高温処理で処理時間の短縮まで計れる。【選択図】図１
0003155722.tif 000002
【実用新案登録請求の範囲】
【請求項１】
イオン水製造装置によるイオン水を蒸気にかえてタービンを回し発電機が回るしくみになっている原子力発電所。
【請求項２】
液化された石炭によって作られた炉の中に送りこまれた二酸化炭素の気体を核反応による熱によって、高温高圧になし、ダクト１８を使って熱交換器の中の蒸発器で請求項１記載のイオン水を高温ガスによって蒸気に変える高温ガス化装置を構成する前述の請求項１記載の原子力発電所。
【請求項３】
使用済みの二酸化炭素の気体を地球温暖化ＣＯ２対策として地中や海底に埋め込む技術に導くえんとつを具備した請求項１記載の原子力発電所。
【考案の詳細な説明】
【技術分野】
【０００１】
本考案は、従来の原子力発電所としてのイオン水製造装置と液化石炭のガス化による地球温暖化ＣＯ２対策原子力発電所に関する。
【背景技術】
【０００２】
茨城県東海原子力発電所の原子炉です。
【考案の概要】
【考案が解決しようとする課題】
【０００３】
しかしながら、東海原子力発電所では、燃料の天然ウランと核反応を起こりやすくさせる黒エンで作るＣＯ２ガスの高温高圧化のみであり使用済みＣＯ２ガスの処理もないため地球温暖化対策ＣＯ２問題があるという欠点がある。
【０００４】
本考案は、上記実情に鑑みてなされたものであり、燃料の代替エネルギーと発生するＣＯ２ガスの処理、そして処理時間の短縮を目的としている。
【課題を解決するための手段】
【０００５】
上記目的を達成するため考案は、熱交換器の中の蒸発器にイオン水が送り込まれていて、液化石炭で作ったＣＯ２ガスを追加した高温ガスによって蒸気になる処理手段を有することであり、次の構成を含むことを特徴としている。
イオン水製造装置によるイオン水とその予熱に使用する液化石炭で作ったＣＯ２ガスを代替エネルギーによるＣＯ２ガスとして追加したＣＯ２ガスで熱交換器の中の蒸発器を構成し、使用済みのＣＯ２ガスを地下又は海底に埋める技術につなぐ構成である。
【考案の効果】
【０００６】
本考案により、ラジカルなイオン水とそれを蒸気にする高温ガスに追加した液化石炭による予熱後のＣＯ２ガスが加わり、使用済みのＣＯ２ガスの消去も地中にできる。
【図面の簡単な説明】
【０００７】
【図１】本考案の原子力発電所を示す図である。  原子力発電所は、図１に示すように、燃料１、ふっとう水型原子炉２、制御棒３、水４、気水分離器５、蒸気６、タービン７、発電機８、復水器９、電気１０、イオン水製造装置１１、トランス１２、放水器１３、取水器１４、送電鉄塔１５、給水パイプ１６、蒸発器１７、ダクト１８、蒸気パイプ１９、えんとつ側ダクト２０、であります。
【図２】本考案の原子力発電所の詳細説明図である。  図２に示すように、前述のとおりの対応であります。
【考案を実施するための形態】
【０００８】
本考案の実施の形態の一例について、図面を参照しながら説明する。
原子力発電所は、図１、図２に示すようにイオン水製造装置１１、でイオン水として、液化石炭によりのＣＯ２ガスを追加したＣＯ２ガスを高温高圧にして、ダクト１８、を使って熱交換器の中の蒸発器１７、で蒸気を処理時間を短縮して、代替エネルギー液化石炭のガス化により地球温暖化ＣＯ２削減対策まで地中又は海底埋め込みで果たすものである。。
【符号の説明】
【０００９】
１．          燃料                  １１．    イオン水製造装置
２．          ふっとう水型原子炉    １２．    トランス
３．          制御棒                １３．    放水路
４．          水                    １４．    取水路
５．          気水分離器            １５．    送電鉄塔
６．          蒸気                  １６．    給水パイプ
７．          タービン              １７．    蒸発器
８．          発電機                １８．    ダクト
９．          復水器                １９．    蒸気パイプ
１０．        電気                  ２０．    えんとつ側ダクト
【図１】
0003155722.tif 000003
【図２】
0003155722.tif 000004
【手続補正書】
【提出日】平成21年3月12日(2009.3.12)
【手続補正１】
【補正対象書類名】明細書
【補正対象項目名】０００５
【補正方法】変更
【補正の内容】
【０００５】
上記目的を達成するため考案は、ハドソン研究所日高首席研究員による「第四世代原子力発電所のR＆Dの成果従来の流体水に代えたNaを使用する。」「液化石炭をガス化するように」（１２chＴＶ）で熱交換器の中の蒸発器にイオン水が送り込まれていて、液化石炭で作ったＣＯ２ガス（燃焼後のガス）を高温ガスにして蒸気作りとする処理手順を有することであり、次の構成を含むことを特徴としている。イオン水製造装置によるイオン水とその予熱に使用する液化石炭で作ったＣＯ２ガスを代替エネルギーによるＣＯ２ガスとして追加した燃料によるＣＯ２ガスと熱交換器の中の蒸発器を構成し、集じん装置、えんとつ、ダクトにより使用済みのＣＯ２ガスを地下又は海底に埋める技術装置のつなぎとする構成である。このえんとつのガス送出力にインクジェットプリンタのインク噴射の原理（電磁波噴射）を採用してＣＯ２ガス送りをするものであります。Na以外の媒体の検討にも役立ちます。
【手続補正２】
【補正対象書類名】実用新案登録請求の範囲
【補正対象項目名】全文
【補正方法】変更
【補正の内容】
【実用新案登録請求の範囲】
【請求項１】
第4世代の原子力発電R&Dの成果「Na採用の水溶液」作りとするイオン水を作るイオン水製造装置を具備する原子力発電所。
【請求項２】
使用済みの二酸化炭素の気体を地球温暖化ＣＯ２対策として地中や海底に埋め込む技術装置のつなぎとするインクジェットプリンタのインク噴射の原理を採用したえんとつを具備した請求項１記載の原子力発電所。
【手続補正書】
【提出日】平成21年4月24日(2009.4.24)
【手続補正１】
【補正対象書類名】実用新案登録請求の範囲
【補正対象項目名】全文
【補正方法】変更
【補正の内容】
【実用新案登録請求の範囲】
【請求項１】
第４世代原子力発電Ｒ＆Ｄの成果「Ｎａ採用の水溶液」その実用を計るため市販のイオン水を作る水道水のイオン水製造装置をボイラー水系統に接続し運用する原子力発電所。
【手続補正書】
【提出日】平成21年6月16日(2009.6.16)
【手続補正１】
【補正対象書類名】実用新案登録請求の範囲
【補正対象項目名】全文
【補正方法】変更
【補正の内容】
【実用新案登録請求の範囲】
【請求項１】
水道水より「Ｎａ採用の水溶液」にメリット有りとする第４世代原子力発電Ｒ＆Ｄ成果の実用を計るため市販のイオン水を作る水道水のイオン水製造装置をボイラー水系統に接続しＮａ水溶液作りを運用する原子力発電所。
【手続補正書】
【提出日】平成21年8月14日(2009.8.14)
【手続補正１】
【補正対象書類名】実用新案登録請求の範囲
【補正対象項目名】全文
【補正方法】変更
【補正の内容】
【実用新案登録請求の範囲】
【請求項１】
水道水より「Ｎａイオン水」にメリット有りとする第４世代原子力発電Ｒ＆Ｄの成果の実用を計るＮａイオン水をボイラ水に使用するためイオン水を作る市販の水道水のイオン水製造装置をボイラー水供給系統に接続した原子力発電所。
【手続補正書】
【提出日】平成21年10月14日(2009.10.14)
【手続補正１】
【補正対象書類名】図面
【補正対象項目名】図１
【補正方法】変更
【補正の内容】
【図１】
0003155722.tif 000005
【手続補正２】
【補正対象書類名】図面
【補正対象項目名】図２
【補正方法】変更
【補正の内容】
【図２】
0003155722.tif 000006